(57)【特許請求の範囲】
【請求項１】
少なくとも１つの脚が高さ調節可能である４つの脚を持つ支持フレームを含む、記録媒体を移動し案内する手段を有するドキュメント取扱装置であり、前記支持フレームが、ねじれ計と前記支持フレームのねじれを表示するためのディスプレーを含み、前記ディスプレーが、前記少なくとも１つの高さ調節可能な脚の高さを調節する人が見えるような位置に設けられ、
前記支持フレームが第１の側面部材と第２の側面部材を持ち、これらはお互いに、前記装置の最大の寸法を持つ方向において離れるように設けられ、前記ねじれ計が、前記第１の側面部材に固定結合され、前記第２の側面部材に回転可能に支持されている、軸を有し、
前記少なくとも１つの高さ調節可能な脚は前記第１の側面部材又は前記第２の側面部材に設けられる、ドキュメント取扱装置。
【請求項２】
それぞれの前記第１の側面部材及び前記第２の側面部材が２つの脚を有し、及び前記ディスプレーが、前記高さ調節可能な脚を持つ前記第２の側面部材に設けられている、請求項１に記載のドキュメント取扱装置。
【請求項３】
前記ディスプレーがポインターとスケールを持ち、前記ポインター及びスケールのひとつが機械的に前記軸の端に結合され、前記軸は前記第２の側面部材に回転可能に支持され、前記第２の側面部材に対して前記軸の回転を表示する、請求項１又は２に記載のドキュメント取扱装置。
【請求項４】
前記ねじれ計が、前記支持フレームの第１の側面部材に結合された第１の部材と前記支持フレームの第２の側面部材に対して前記第１の部材の回転を拡大するトランスミッションを含む、請求項１乃至３のいずれか１項に記載のドキュメント取扱装置。
【発明の詳細な説明】
【技術分野】
【０００１】
本発明は、少なくとも１つの脚が高さ調節可能である、４脚を有する支持フレームを有するドキュメント取扱装置に関する。
【背景技術】
【０００２】
ドキュメント取扱装置、例えばプリンター、複写機又はスキャナーは、通常いくつかの機械部品を含み、それらはお互いに対して、又はその装置の上でスキャンされ又は印刷される記録媒体に対して、完全に位置決めされ及び調整される必要がある。そのような機械部品の例としては、インクジェットプリンターの往復運動する印刷ヘッドキャリッジ、レーザープリンターの回転ミラー又はLEDアレイ、スキャナーのスキャニングミラーアセンブリ及び/又はCCDアレイ等が挙げられる。紙のような記録媒体を移動し案内する手段及びその機械部品は、直接的又は間接的にその支持フレーム上に設けられていることから、その支持フレームのわずかなねじれ変形であっても、その機械部品の位置決め及び調整を損ない、ひいては装置の機能、即ち印刷イメージやスキャンイメージの品質を損なう結果となり得る。
【０００３】
支持フレームのねじれは、通常、ドキュメント取扱装置が平らではない床に置かれることでもたらされる。そのようなねじれを避けるためのよく知られた対抗手段は、床の不均一性を補償して支持フレームを正確に水平にしてねじれをなくすることで、支持フレームを正確に水平にすることである。
【０００４】
US４６３７５８１には、支持フレームの自己水平化が開示されている。
【０００５】
JP04/244 880Aは、プリンターケースのひずみをひずみゲージで検出するプリンターが開示されている。プリンターケースが過剰の曲げ力又はねじれ力にさらされる可能性がある設置状態であることをひずみゲージが検出すると、ひずみゲージは、プリンターの制御システムに、そのひずみが解消されるまで印刷処理を止めさせるようにする。
【発明の概要】
【発明が解決しようとする課題】
【０００６】
本発明の課題は、ドキュメント取扱装置であって、設置を楽にしかつ正しい機能を確保するドキュメント取扱装置を提供することである。
【課題を解決するための手段】
【０００７】
この目的を達成するために、本発明によるドキュメント取扱装置は、前記支持フレームがねじれ計と前記支持フレームのねじれを表示するためのディスプレーを含み、前記ディスプレーが、少なくともひとつの高さ調節可能な脚を調節する人が見えるような位置に設けられている。
【０００８】
この装置が平らではない床に設置された場合、前記ディスプレーは前記支持フレームがあるひずみにさらされていることを示す。前記オペレーターはそこで、前記ディスプレーが、前記支持フレームがひずみから解消されたことを示すまで、前記高さ調節可能な脚を調節する。このことは、前記支持フレームが水平であることを必ずしも意味するものではない。少なくとも前記フレームにはひずみがなく、従って前記装置の機械部品の正しい配置と調節及びそれにより装置の正しい機能が確保されるであろうということを意味する。本発明のより具体的な構成は従属請求項に記載される。
【０００９】
本発明はA2又はそれ以上のフォーマットのドキュメントを取扱うことができる、大型フォーマットのプリンター又はスキャナーに特に有用である。
【００１０】
好ましい実施態様について以下、図面を参照して説明する。
【図面の簡単な説明】
【００１１】
【図１】図１は、本発明によるひとつのドキュメント取扱装置の単純化された斜視図である。
【図２】図２は、前記装置の支持フレームの本質的部分の水平断面図を示す。
【図３】図３は、ひずみ計の作用を示す模式図である。
【図４】図４は、図２に類似の部分図であるが、本発明の変形実施態様を示す。
【発明を実施するための形態】
【００１２】
図１に示すように、ドキュメント取扱装置、例えばプリンターは支持フレーム１０を有し、前記装置のケース１２を支持する。当該技術分野において知られているように、前記ケース１２は、いくつかの機械部品を有し、それらは、前記装置の正しい機能を確保するためにお互いに高い精度で位置決めされ調節されなければならない。この正しい位置決めと調節を維持するために、前記装置を、前記ケース１２及びその支持フレーム１０のねじれがないように設置する必要がある。
【００１３】
ここに示されるように、支持フレーム１０はそれぞれ２つの脚１８を有する２つの側面部材１４又は１６を持ち、それにより前記支持フレームは計４つの脚を有する。側面部材１６のひとつの脚１８は、高さ調節機構２０を持ち、それにより脚１８の高さを調節して、前記装置が設置された床の可能な不均一性を補償する。示された例では、高さ調節機構２０は、手動で操作されるスクリュー-スピンドル機構である。
【００１４】
ひずみ計２２は軸２３により形成され、その軸は、第１の側面部材１４から第２の側面分野剤１６へ、前記支持フレームの全幅に亘って伸びている（このフレームが持つ最大の寸法方向で）。この軸２４は、第１の側面部材１４にソケット２６で固定結合され、第２の側面部材１６の反対側で回転可能に支持されている。前記軸２４のひとつの端部は、前記側面部材１６を通り抜けてポインター２８を支え持ち、前記側面部材１６の外側面に形成されるスケール３０と共に、前記ねじれ計２２により測定される支持フレーム１０のねじれを表示するためのディスプレーを形成する。
手動で、高さ調節可能な脚１８の高さ調節機構２０を操作する人は容易にディスプレー２８，３０を見ることができるということは理解されるであろう。図２に示されるように、軸２４は、それ自体高いねじれ安定性を有する管により形成される。第２の側面部材１６に面する端で、前記軸は細くなった端部２８を有し、これはベアリング３４で支えられ、ポインター２８を支え持つ。このようにして、軸２４は第１の側面部材１４とは回転不可能に結合されているが、第２の側面部材１６に対しては回転可能である。
【００１５】
図３は、支持フレームがねじれ変形にさらされている状態での、前記支持フレーム１０の第２の側面部材１６の側面図を示す。第１の側面部材１４は図３では破線で示され、ねじれ変形の結果わずかに回転した位置で示されている。軸２４が硬いことにより、ポインター２８は、第２の側面部材１６に対して、図３で同じく破線で示されるように第１の側面部材１４と共に回転するであろう。前記支持フレーム変形の結果として、軸２４はまた、同じ曲げ力にさらされる可能性があるが、第２の側面部材１６に対しては回転になんの影響もない。このように、ねじれ変形の量は前記スケール３０で読むことが可能となる。
【００１６】
軸２４は、支持フレーム１０の最大寸法の方向へ伸びていることが好ましい。さらに、ポインター等が前記ねじれ計で機械的に駆動される機械的ディスプレーが用いられる場合、前記ポインター２８を相対的に長くして、ねじれの効果が増幅されることが好ましい。
【００１７】
オペレーターが前記装置を設置する場合、彼はディスプレー２８，３０を監視し、高さ調節装置２０を回して、ディスプレーに表示されるねじれをゼロに減少させる。ねじれゼロの状態が達成できた場合は、たとえ支持フレーム１０及びケース１２が相対的に軽量でありねじれ強度が弱い安価な作りであっても、支持フレーム１０に直接又は間接的に支持された機械部品は、お互いに正しく位置決めされ調節されている。
【００１８】
図４は、図２で示す実施態様とは異なる変形実施態様を示す。ここで、前記軸２４のためのベアリング３４がトランスミッションより具体的には遊星ギアトランスミッション３６を含み、これにより側面部材１６に対する軸２４の回転を顕著により大きな角度で、前記ポインター２８の回転に伝える。例に示されるように、軸２４の端は前記遊星支持軸３８に固定結合され、前記ポインター２８は太陽ギア４０に結合され、前記ベアリング３４は、前記遊星トランスミッションの内部歯状ホローギアとして作用する。当然他のいかなるタイプの機械的トランスミッションも同様に使用可能である。ここには示されてはいないが、他の実施態様であって、前記ねじれ計が電子装置であり、電気的な（アナログでもデジタルでも）ねじれシグナルを与えて電子ディスプレー上に表示するものであってもよい。
【図１】
0005676450.tif 000002
【図２】
0005676450.tif 000003
【図３】
0005676450.tif 000004
【図４】
0005676450.tif 000005